(57)【特許請求の範囲】
【請求項１】
底面が閉された胴部と、該胴部の上方の肩部と連なりその中心軸上方に突出させた喇叭状連結部と、この連結部の中心軸の上方に連なる飲み口部があり、この連結部と飲み口部を除いてその長さ方向の外周と内周は、蛇腹状となっている容器本体であって、該上記容器本体の肩部にはその内端が水平なＵ字状の環状溝があり、上記喇叭状の連結部の末端と環状溝の内側の辺とは連結しており、かつこの環状溝の外側の辺は上記肩部の下方に向う割球状と連結されており、上記胴部に形成された蛇腹状の最上段は、容器本体の外径より小径となし、続いてこの最上段の蛇腹状に対し第２段の蛇腹状外径は、最上段の外径より大きく容器本体の外径より小さく構成したことを特徴とする長さ方向が縮少された状態を保つことが可能な容器。
【発明の詳細な説明】
【０００１】
【発明の属する技術の分野】
本発明はブロー成型方法などで造形されたジュースやミネラルウォータの容器であって、特に飲み干された時その長さ方向が縮少（容積が縮少）できるようにした容器に関する。
【０００２】
【従来の技術】
合成樹脂製ボトルの売り上げは、近年膨大なものになっている。しかし、容器本体内のジュースやミネラルウォータを飲み干して、該容器本体を破棄する時は飲み干す以前の形状の侭であり、これを所謂ゴミ箱に破棄する場合は、まるで空気をゴミ箱に捨てたような状態ですぐ満杯となり、あげくは路上に放棄される生活環境を悪化させる最大の欠点があり、加えてそれは飲み干された容器本体の回収費や、清掃の為の人件費は公共事業の大きな負担となっているのである。
【０００３】
またこの種合成樹脂ボトルは、それをブロー成型など手軽な手段で製造できる反面、激しい振動を伴う自動車などの搬送手段や、積み重ねられる店頭での展示に見合った強度が、未だ充分とは言えないものがあった。
【０００４】
さらにこの事は、容器を製造する業者からジュースやミネラルウォータのような状態で、製品の搬送費にかかる割合は相当なものとなっていたのである。
【０００５】
【発明が解決しようとする課題】
そこで本願の発明者は先に、容器本体内のジュースやミネラルウォータを飲み干して、該容器本体を破棄する時、その容積を頗る小さくすることが出来るようになしかつ、従来空の容器本体をゴミ箱に収容しきれなったのに比し、その収容個数を頗る増大させた容器とその製造方法を提唱し多大な好評を博した。
【０００６】
本発明は更にこれを改良したもので、その目的は内容物が飲み干された空の容器を、手で軽く押し潰すことができるように工夫したものであり、その押し潰し量即ち高さを著しく低く、即ち押し潰された長さを頗る少くしたものであり乍ら、再び閉栓などすることなく潰された状態を保たせるようになしたことである。
【０００７】
この結果、空の容器をゴミ箱に捨てるのに従来に比し多量に捨てることができ、かつそのリサイクルとして利用する為などの搬送も同時に多量に成し得るから、その回収費や清掃回収の為の人件費を頗る軽減させ得るようになったのである。
【０００８】
また、容器を製造する業者からジュースやミネラルウォータを封入する会社に搬送する際も、一度の搬送量を従来の量との比較において、著しく増大させたことである。
【０００９】
また本発明の目的は上記のように、飲干された容器を破棄する時、あるいは搬送する時、その容積を頗る小さくすることが出来るようにしたことであるが、その状態は容器本体に復元力を与えることなく、長時間，あるいは長期間，若しくは再利用の為の粉砕や溶解などの作業時まで、その縮少された形状を保つようにしたことである。
【００１０】
【課題を解決するための手段】
而して本発明の特徴は、底面が閉された胴部と、該胴部の上方の肩部と連なりその中心軸上方に突出させた喇叭状連結部と、この連結部の中心軸の上方に連なる飲み口部があり、この連結部と飲み口部を除いてその長さ方向の外周と内周は、蛇腹状となっている容器本体であって、該上記容器本体の肩部にはその内端が水平なＵ字状の環状溝があり、上記喇叭状の連結部の末端と環状溝の内側の辺とは連結しており、かつこの環状溝の外側の辺は上記肩部の下方に向う割球状と連結されており、上記胴部に形成された蛇腹状の最上段は、容器本体の外径より小径となし、続いてこの最上段の蛇腹状に対し第２段の蛇腹状外径は、最上段の外径より大きく容器本体の外径より小さく構成したことにある。
【００１１】
而して今、かかる容器本体内のミネラルウォータなどを飲干したとする。ここで上記容器本体の飲み口部を下方に押圧すると、先ず喇叭状の連結部の末端辺がＵ字形状の溝の内側を下方に押圧する。この結果かかる溝はその外側上端の辺と、肩部とが連結され固着された状態となっているから、そのＵ字形状が崩れ内側が下方に押された状態で、喇叭状連結部の末端部を下方に押圧しつつ拡大する方向に進み、ついには容器本体内に飲み口部と共に押し込まれる状態となるのであり、このことは容器本体を放棄する際、容器本体の長さを通常の１／５程度に、コンパクトなものとなしその容積を頗る縮少させることができるのである。
【００１２】
また、上記容器本体の肩部の襞の径を下方に向うに従い大径としたから、押し潰された各襞はその外周辺が内周辺に対して上方となる傾斜状に重ね合せられる。そしてかかる飲み口部の上面部及び肩部の割球状をさらに押圧すると、その押し下げる力は、各襞の外周辺にも押し下げる力として働き、その結果胴部襞はその外周辺が内周辺に対して下方となる上記肩部とは逆方向の傾斜状に重ね合せられる。而してこの押し潰された容器本体にあって、肩部の襞の上方の傾斜部を形成する割球状と胴部の襞の下方の傾斜部が所謂「つりあって」、容器本体はキャップを再び被冠させなくとも潰された状態を保つことができるようになったのである。
【００１３】
【実施の態様】
以下図で示した本発明の一実施例を説明する。
図１で（１）は容器本体で、底面（Ｂ）が閉された胴部（Ａ）と、該胴部（Ａ）の上方の肩部（Ｃ）と、該肩部（Ｃ）と連なりその中心軸上方に突出させた喇叭状連結部（Ｄ）と、この連結部（Ｄ）の中心軸の上方に連なる飲み口部（３）があり、この連結部（Ｄ）と、飲み口部（３）を除いてその長さ方向の外周と内周は蛇腹状（２）となっている。また図２は図１で示す容器本体（１）の底面図であり、この場合横断面形状を正円としたものを図示したが、なにもこれに限った訳ではない。
【００１４】
【実施例】
図３乃至図４は、仮令えば図１に示す容器本体（１）にミネラルウォータなどが封入されているとしてこれを飲み干し、高さ（長さ）方向にその一方からあるいは両方から押し潰した状態を示した。即ち本発明はこのような容器本体（１）を押し潰した状態とするため及び潰れた状態を保つため秀れた構成を有し、秀れた作用を発揮するのである。
【００１５】
その一例として図において（３）はその外周に雄ねじを刻設した容器本体（１）の直径約２８ｍｍ長さ２３ｍｍ程度の飲み口部でその直下方は、下方が直径約５１ｍｍに拡大された長さ５〜１０ｍｍの喇叭状連結部（Ｄ）が飲み口部（３）の軸線上に接続されている。上記容器本体（１）の肩部（Ｃ）にはその内端が水平な『Ｕ』字状の環状溝（Ｅ）があり、上記喇叭状の連結部（Ｄ）の末端と環状溝（Ｅ）の内側の辺とは連結している。
またＵ字形状の溝（Ｅ）の外側の辺は下方に向う割球状（４）となっており、第１段の蛇腹状（５）の外径（即ち上記蛇腹状（２）の最上段）（ｄ１）は、容器本体（１）の外径（ｄ）より小さい径とする。続いて第１段の蛇腹状（５）に対し第２段の蛇腹状（６）外径の（ｄ２）は、上記第１段の蛇腹状（５）の外径（ｄ１）より大きく容器本体（１）の外径（ｄ）より小さい。
【００１６】
さらにこれと連なりかつ上記第２段の蛇腹状（６）の外径（ｄ２）より大きく容器本体（１）の外径より小さい第３段の蛇腹状（７）の外径（ｄ３）となるように側面からみて階段状となっているが、勿論これは上記のように３段とすることに限らず適宜の複数段でもよい。
【００１７】
具体的に図１の容器は長さ１９５ｍｍ×最大直径７１．５ｍｍφ容量５００ｍｌの容器本体（１）にあって、１２段の襞を有する形状とした。
【００１８】
但しこの場合第１段の蛇腹状（５）の外径（ｄ１）は６０．５ｍｍ，第２段の蛇腹状（６）の外径（ｄ２）は６７．９ｍｍであり、これら第１段の蛇腹状（５）と第２段の蛇腹状（６）の間の内径は、４７ｍｍとした。
【００１９】
これと同様、第３段の蛇腹状（７）の外径（ｄ３）は６９．７ｍｍであり、第２段の蛇腹状（６）と第３段の蛇腹状（７）の間の内径は５１．１ｍｍとした。さらに第４段の蛇腹状（８）の外径（ｄ）は上記容器本体（１）の最大外径である直径７１．５ｍｍであり、第３段の蛇腹状（７）と第４段の蛇腹状（８）の間の内径は５４．５ｍｍとした。
また以下の第５段乃至第１２段の蛇腹状の外径は第４段の蛇腹状（８）の外径（ｄ）と同じでありそれぞれの間の内径もまた上記第３段の蛇腹状（７）と第４段の蛇腹状（８）との間のそれと同一である。
【００２０】
この場合上記各襞は、巾広のそろばん球のような形状をしており、従って水平方向の上下に２分される。この時図１で上記第１段の襞の上（ｈ１）：下（ｈ２），長さは６．５ｍｍ：５．５ｍｍ，第２段の襞のそれは７ｍｍ：５ｍｍ，第３段の襞のそれは８．５ｍｍ：６．５ｍｍとなした。
【００２１】
より具体的にこれら襞の断面形状を図６で示している。すなわちこれは上記第３段乃至１１段の襞の寸法，上（ｈｘ）と下（ｈｙ）の例であるが、その形状は各段共通なものとなっている。即ち図７で巾広のそろばん球形状の上面（１５）形状は、外方向に突出したこの実施例では２０ｍｍＲの湾状（９）となっており、これに対して下面（１６）は０．８ｍｍＲの突出弧状（１０）を介して直線状（１１）となっていることが重要なポイントである。
【００２２】
ここで本実施例のこの構成をその作用と併せて説明すると、概略上記図１の状態の容器本体（１）は、中央部及び下方を含む胴部（Ａ）と上方の肩部（Ｃ）に２分され、それぞれの部位（Ａ）（Ｃ）は、それぞれの比較に於て、その径が大径と小径の２つの径からなっていることから、安定した垂直状態を保っている。
【００２３】
即ち胴部（Ａ）は内外径が同一の襞で形成され、肩部（Ｃ）は外観的に飲み口部（３）方向が緩傾斜の凸状に湾曲され、特にこの肩部（Ｃ）は中央部から飲み口部（３）までの間で、襞を形成する谷部の内径を徐々に減少させると共に、その傾斜角度も胴部（Ａ）より差を大きくしたから、この中央部が伸長している状態にあっては襞を形成する山（１２），谷（１３）の内径及び傾斜面は材料の持つ強度と弾性で伸長・伸展状態を保つことができるのである。なお底面（Ｂ）を急傾斜の凹状とすることで所謂すわりがよくなること当然である。
【００２４】
さて、市販に供される容器本体（１）にはキャップ（１４）が被冠されている。
【００２５】
そこでこのキャップ（１４）を取外し、内容物を飲み干し飲み口部（３）を押し下げると、図４のように肩部（Ｃ）や胴部（Ａ）が圧縮されて縮んだ状態となる。この状態で図７に示すように肩部（Ｃ）の襞が押圧され、谷（１３）の端面が上下の関係で隣に位置する襞の谷端面を圧縮することになる。この時点で襞の山（１２）の頂点からみた状態では、図７，８のように両側の谷（１３）部がこの山（１２）の頂点側に押し寄せられたことに相当しこの際、襞の上面（１５）は下面（１６）に対して緩傾斜側の圧縮分力は傾斜が少ない為に下面（１６）の急傾斜側の圧力分力より大きいことから急傾斜側の谷（１３）が山（１２）部の頂点側に移動したことになる。
【００２６】
この時容器本体（１）には２つの大きな変化が生じている。即ち図７乃至図９で示すように、その第１は上記襞を構成する山（１２）部の内径が拡大圧力で増加あるいは谷（１３）部の内径が圧縮圧力で減少すること、その第２は襞を構成する下面（１６）の急傾斜面が屈曲することである。続いてこの急傾斜側が山（１２）部直下を通過して、さらに上面（１５）の緩傾斜側の内側に潜り込んで、容器本体（１）の高さを短縮状態まで移動させると、山（１２）の内径及び谷（１３）の内径が復元する力が働き、または下面（１６）が上記の操作で屈曲状態となっていたものを伸展状態に復元して安定した状態となる。
従って常に圧縮力を加えておかなくとも、この短縮状態を保つようになることができたのである。
【００２７】
そして内径の小さい谷（１３）は圧縮圧力を受けて、さらに内径が小さくなり、圧力応力が発生している。圧縮圧力が無くなると応力が解放されるように作用し、伸長状態に復元する。そして圧力状態でキャップ（１４）を締め、大気圧を作用させると容器本体（１）は短縮状態を保持し、谷（１３）の内径の差によって圧縮応力が発生しない場合には短縮状態を保持することとなるのである。
【００２８】
この結果容器本体（１）は度重なる実験では、その長さ（容積）が１／３乃至１／４以下となり、これをゴミ箱などに放棄してもそのスペースを格段に少くすることができたのである。
【００２９】
この実施例は前記のように容器本体（１）の肩部（Ｃ）の襞の径が下方に向うに従い大径とした場合で、その結果押し潰された各襞はその外周辺が内周辺に対して上方となる傾斜状に重ね合せられる。
【００３０】
その後飲み口部（３）の上面部ａｎｄ／ｏｒ肩部の割球状（４）を押圧すると、その押し下げる力は図１０乃至図１２のように各襞の外周辺にも押し下げる力（ｆ４）が働き、その結果図４に示すように胴部（Ａ）の襞は、その外周辺が内周辺に対して下方となる上記肩部（Ｃ）とは逆方向の傾斜状に重ね合せられる。
【００３１】
而してこの押し潰された容器本体（１）にあって肩部（Ｃ）の襞の上方の傾斜部を形成する割球状（４）及び湾状（９）と、胴部（Ａ）の襞の下方の傾斜部が所謂「つりあって」、容器本体（１）はキャップ（１４）を再び被冠させなくとも潰された状態を保つことができるようになったのである。
【００３２】
従って本発明では、この状態になったのちも更に飲み口部（３）と容器本体（１）の底面（Ｂ）方向に押圧する。このとき容器本体（１）の胴部（Ａ）及び肩部（Ｃ）はそれぞれの襞が密着して折り重なっているため、これ以上押し下げても下降しない。図５は図３に於ける破線部の拡大横断面図であり、（Ｅ）は喇叭状の連結部（Ｄ）の末端辺及び肩部（Ｃ）の末端辺の間に設けられたＵ字形状の溝であるが、いまここでさらに飲み口部（３）を下方に押圧すると、先ず喇叭状の連結部（Ｄ）の末端辺がＵ字形状の溝（Ｅ）の内側を下方に押圧する。
この結果かかる溝（Ｅ）はその外側上端の辺と、肩部（Ｃ）とが連結され固着された状態となっているから、そのＵ字形状が崩れ内側が下方に押された状態で、喇叭状連結部（Ｄ）の末端部を下方に押圧しつつ拡大する方向に進み、ついには容器本体（１）内に飲み口部（３）と共に押し込まれる状態となるのである。
【００３３】
然してこのことは、容器本体（１）を放棄する際前記に比しさらにその高さを容器本体（１）の１／５程度にコンパクトなものとなし、その容積を頗る縮少させることができるのである。
【００３４】
【発明の効果】
以上述べた本発明の主な効果は、容器本体を破棄する時、その容積を頗る少くすることが出来るようにしたことであり、ゴミ箱などに収容できる個数を頗る増大させたことである。
【００３５】
またかかる縮少させた容器本体は、その搬送量を同時に多量に成し得るから、その回収費や清掃回収の為の人件費を、頗る軽減できたことである。
【００３６】
本発明の容器本体は、その外観の形状の見栄えがよく、使用する者に多大な興味を持たせかつ、容器本体の蛇腹の形状が摩擦止めとなり、使用中に容器本体が滑り落下させたり、あるいは内容物を溢出させたりする虞も未然に防止できるのである。
【００３７】
また本発明によって潰された状態の容器本体といえどもその形状は意匠的に見栄えのよいもので、そのまま他の容器としても利用できるのである。
【図面の簡単な説明】
【図１】一実施の容器本体全体の正面図
【図２】同底面図
【図３】潰した状態の一部切込断面図
【図４】潰した状態の容器全体の断面
【図５】容器本体を構成する襞の一部拡大断面説明図
【図６】容器本体を構成する襞の一部拡大断面説明図
【図７】容器本体の潰した時に於ける肩部の変形状態を示し、押圧初期段階を示す。
【図８】容器本体の潰した時に於ける肩部の変形状態を示し、押圧中間段階を示す。
【図９】容器本体の潰した時に於ける肩部の変形状態を示し、押圧完了段階を示す。
【図10】容器本体を潰した時に於ける胴部の変形状態を示し、押圧初期段階を示す。
【図11】容器本体を潰した時に於ける胴部の変形状態を示し、押圧中間段階を示す。
【図12】容器本体を潰した時に於ける中央部胴部の変形状態を示し、押圧完了段階を示す。
【符号の説明】
１， 容器本体
２， 蛇腹状
３， 飲み口部
４， 割球状
５， 第１段の蛇腹状
６， 第２段の蛇腹状
７， 第３段の蛇腹状
８， 第４段の蛇腹状
９， 湾状
１０， 突出弧状
１１， 直線状
１２， 山
１３， 谷
１４， キャップ
１５， 上面
１６， 下面
１７， 鼓状
Ａ， 胴部
Ｂ， 底面
Ｃ， 肩部
Ｄ， 連結部
Ｅ， 溝
ｄ１，第１段の蛇腹状（５）の外径
ｄ２，第２段の蛇腹状（６）の外径
ｄ３，第３段の蛇腹状（７）の外径
ｆ４，押し下げる力
【図１】
0004151826.tif 000002
【図２】
0004151826.tif 000003
【図３】
0004151826.tif 000004
【図４】
0004151826.tif 000005
【図５】
0004151826.tif 000006
【図６】
0004151826.tif 000007
【図７】
0004151826.tif 000008
【図８】
0004151826.tif 000009
【図９】
0004151826.tif 000010
【図１０】
0004151826.tif 000011
【図１１】
0004151826.tif 000012
【図１２】
0004151826.tif 000013